(57)【要約】  【課題】記録容量が大容量の録画再生機器では、使用しているうちに録画再生機器内の録画済みのテレビジョン放送番組の数が増え、未視聴の番組の中から視聴したい番組を見つけ出す作業に手間がかかる。  【解決手段】録画番組を再生する際に、再生時間帯を記録する再生情報記録手段１０６と、お勧め番組表示を指示する指示手段１０８と、指示手段１０８によって指示された際の指示時刻と、過去に再生された各録画番組の再生時間帯とを比較対照し、それらの録画番組の中から指示時刻を含む再生時間帯の録画番組を選択し、それら選択された録画番組をジャンル毎に集計する属性毎集計手段１０３と、その集計結果に基づいて、より多くの番組が属するジャンルのまだ再生されていない録画番組を選択し、お勧めの番組を表示するお勧め番組表示手段１０４とを備えた。【選択図】図１
2006229707.tif 000002
【特許請求の範囲】
【請求項１】
録画番組を再生する際に、再生に関する情報を記録する再生情報記録手段と、
前記再生に関する情報に基づき、ユーザの視聴習慣を獲得する視聴習慣獲得手段と、
お勧め番組の提示を指示する指示手段と、
前記指示に応じて、前記獲得された視聴習慣の情報に基づいて、まだ再生されていない録画番組のうちからお勧め番組を選択し表示するお勧め番組表示手段とを備えた、お勧め番組提示装置。
【請求項２】
前記再生に関する情報は、再生時間帯に関する情報であり、
前記視聴習慣獲得手段は、前記指示手段によって指示された際の指示時刻に基き、予め決められた基準に従って特定される時刻または時間帯と、過去に再生された各録画番組の前記再生時間帯とを比較対照し、前記再生された各録画番組の中から、時に関する所定の規則に合致する録画番組を選択し、前記選択された録画番組を番組の所定の属性毎に、前記視聴習慣として、集計する、属性毎集計手段であり、
前記お勧め番組表示手段は、前記属性毎集計手段の集計結果に基づいて、まだ再生されていない録画番組のうちからお勧めの番組を選択し表示する手段である、請求項１に記載のお勧め番組提示装置。
【請求項３】
前記番組の所定の属性を番組毎に入力する入力手段を備えた、請求項２に記載のお勧め番組提示装置。
【請求項４】
前記入力手段は、ユーザがマニュアルで番組毎に前記所定の属性を入力する手段である、請求項３に記載のお勧め番組提示装置。
【請求項５】
前記入力手段は、通信により番組毎に前記所定の属性を受信する手段である、請求項３に記載のお勧め番組提示装置。
【請求項６】
番組が録画される際に、前記録画される番組の前記所定の属性のみを記録する録画情報記録手段を備えた、請求項２に記載のお勧め番組提示装置。
【請求項７】
請求項２に記載のお勧め番組提示装置と、
番組を録画する録画手段と、
録画された番組を再生する再生手段とを備え、
前記録画手段は、録画する際に、前記録画する番組の所定の属性も記録する、番組録画再生装置。
【請求項８】
前記番組の所定の属性は、ジャンルである、請求項２に記載のお勧め番組提示装置。
【請求項９】
前記番組の所定の属性は、番組名である、請求項２に記載のお勧め番組提示装置。
【請求項１０】
前記番組の所定の属性は、前記番組が録画された録画時間帯である、請求項２に記載のお勧め番組提示装置。
【請求項１１】
前記番組の所定の属性は、前記番組の録画時間の長さである、請求項２に記載のお勧め番組提示装置。
【請求項１２】
前記予め決められた基準に従って特定される前記時刻または時間帯とは、前記指示時刻と同一の時刻もしくは前記指示時刻と所定時間離れた時刻、または前記指示時刻を含む所定幅の時間帯である、請求項２に記載のお勧め番組提示装置。
【請求項１３】
前記録画番組を選択する際の、前記所定の規則に合致する場合とは、
前記再生時間帯と、前記予め決められた基準に従って特定される前記時刻とを比較する場合には、前記特定される時刻が前記再生時間帯に含まれる場合をいい、
前記再生時間帯と、前記予め決められた基準に従って特定される前記時間帯とを比較する場合には、前記特定される時間帯と前記再生時間帯とが重なる部分が、前記特定される時間帯のうちもしくは前記再生時間帯のうち、所定割合以上の場合をいう、請求項２に記載のお勧め番組提示装置。
【請求項１４】
前記集計結果に基づいて選択するとは、
より多くの番組数に対応するジャンルの順番で、まだ再生されていない録画番組を選択することである、請求項８に記載のお勧め番組提示装置。
【請求項１５】
前記集計結果に基づいて選択するとは、
より多くの番組数に対応する番組名の順番で、まだ再生されていない録画番組を選択することである、請求項９に記載のお勧め番組提示装置。
【請求項１６】
前記属性毎集計手段は、同じ所定の文字列を含む番組名を同一の番組名として集計し、
前記お勧め番組表示手段は、前記同じ所定の文字列を含む番組名に属するまだ再生されていない録画番組を、前記同一の番組名に属する録画番組として選択し表示する、請求項１５に記載のお勧め番組提示装置。
【請求項１７】
前記集計結果に基づいて選択するとは、
所定割合以上の時間が重なっている録画時間帯を同一の録画時間帯とし、より多くの番組数に対応する録画時間帯の順番で、まだ再生されていない録画番組を選択することである、請求項１０に記載のお勧め番組提示装置。
【請求項１８】
前記集計結果に基づいて選択するとは、
より多くの番組数に対応する録画時間の長さの順番で、まだ再生されていない録画番組を選択することである、請求項１１に記載のお勧め番組提示装置。
【請求項１９】
前記予め決められた基準に従って特定される前記時刻または前記時間帯は、時、および分で表される、請求項２に記載のお勧め番組提示装置。
【請求項２０】
前記予め決められた基準に従って特定される前記時刻または前記時間帯は、曜日、時、および分で表される、請求項２に記載のお勧め番組提示装置。
【請求項２１】
前記予め決められた基準に従って特定される前記時刻または前記時間帯は、日、時、および分で表される、請求項２に記載のお勧め番組提示装置。
【請求項２２】
前記時刻または前記時間帯を特定する際に用いられる前記予め決められた基準を、休日か平日かによって異ならせる、請求項２に記載のお勧め番組提示装置。
【請求項２３】
録画番組を再生する際に、再生時間帯を記録する再生情報記録ステップと、
お勧め番組の提示を指示する指示ステップと、
前記指示時刻に基き、予め決められた基準に従って特定される時刻または時間帯と、過去に再生された各録画番組の前記再生時間帯とを比較対照し、前記再生された各録画番組の中から、時に関する所定の規則に合致する録画番組を選択し、前記選択された録画番組を番組の所定の属性毎に集計する、属性毎集計ステップと、
属性毎集計ステップで集計した集計結果に基づいて、まだ再生されていない録画番組のうちからお勧めの番組を選択し表示するお勧め番組表示ステップとを備えた、お勧め番組提示方法。
【請求項２４】
前記番組の所定の属性は、入力手段により番組毎に入力される、請求項２３に記載のお勧め番組提示方法。
【請求項２５】
番組が録画される際に、前記番組の前記所定の属性のみが記録される、請求項２３に記載のお勧め番組提示方法。
【請求項２６】
請求項２３に記載のお勧め番組提示方法と、
番組を録画する録画ステップと、
録画された番組を再生する再生ステップとを備え、
前記録画ステップは、録画する際に、前記録画する番組の所定の属性も記録する、番組録画再生方法。
【請求項２７】
請求項２３に記載のお勧め番組提示方法の、再生時間帯を記録する前記再生情報記録ステップと、お勧め番組の提示を指示する前記指示ステップと、選択された録画番組を番組の所定の属性毎に集計する前記属性毎集計ステップと、まだ再生されていない録画番組のうちからお勧めの番組を選択し表示する前記お勧め番組表示ステップとをコンピュータに実行させるためのプログラム。
【請求項２８】
請求項２７に記載のプログラムを記録した記録媒体であって、コンピュータにより処理可能な記録媒体。
【発明の詳細な説明】
【技術分野】
【０００１】
本発明は、大量に録画された番組の中から、ユーザに視聴お勧めの番組を提示する、お勧め番組提示装置、番組録画再生装置、お勧め番組提示方法、および番組録画再生方法に関する。例えば、ハードディスクドライブユニットを内蔵する光学式情報記録再生装置などの大量のテレビジョン放送番組を記録し再生することができるお勧め番組提示装置、番組録画再生装置、お勧め番組提示方法、および番組録画再生方法に関する。
【背景技術】
【０００２】
近年、記録媒体として磁気テープを用いたビデオテープレコーダに代わる録画再生機器として、例えばハードディスクドライブユニットを内蔵する光学式情報記録再生装置（例えば、通称ＨＤＤ−ＤＶＤレコーダ）が普及してきており、例えば大量のテレビジョン放送番組を予約録画できるようになっている。
【０００３】
しかしながら、この録画再生機器は、記録容量が大容量であるため、非常に便利である反面、使用しているうちに録画再生機器内の録画済みのテレビジョン放送番組の数が簡単に１００番組以上に増え、ユーザがそのうち未視聴の番組を再生しようとして録画済番組リストを表示すると、そのリストには大量に未視聴の録画済番組が表示されることになる。
【０００４】
このように、ユーザが未視聴の番組が大量に表示された中から、優先して視聴したい番組を特定する作業は、時間がかかり極めて面倒なものである。
【０００５】
従来、視聴者に視聴可能な適切な番組を提供するものとして、例えば特許文献１に記載の番組選択支援システムがある。これは、電子番組表と視聴者プロファイルを用いて、現在放送されている多数の視聴可能な番組から適切な番組を視聴者に自動的に提案するシステムである。
【０００６】
この特許文献１の番組選択支援システムでは、予め視聴者プロファイルに設定されたユーザの好みのジャンルを用いてお勧め番組を決定したり、例えば、夜の７時ならニュースをお勧めするなどのように、時間帯によって視聴お勧め番組を変えたりすることができる。
【特許文献１】特開２００１−１８９８９６号公報
【発明の開示】
【発明が解決しようとする課題】
【０００７】
しかしながら、特許文献１の番組選択支援システムは、放送されている番組を視聴する際に用いられる支援システムであり、録画された番組の視聴については対応されていない。
【０００８】
すなわち、ユーザが録画再生機器に録画された番組を視聴する場合、実際には「今の時間帯は、いつものあのまだ見ていない番組を視聴している」というように、ユーザには、日時、時間帯によっておおよそ決まった視聴習慣がある。その視聴習慣に沿った目的の番組を探す作業も大変煩わしいものであるが、特許文献１の番組選択支援システムでは、録画された番組について、このユーザの視聴習慣に沿った視聴お勧め番組を提供することができない。
【０００９】
本発明は、上述した従来の課題を解決するもので、録画されて保存されている未視聴の録画済番組について、お勧め番組をユーザに提示できる、お勧め番組提示装置、番組録画再生装置、お勧め番組提示方法、および番組録画再生方法を提供することを目的とする。
【課題を解決するための手段】
【００１０】
上述した課題を解決するために、第１の本発明は、
録画番組を再生する際に、再生に関する情報を記録する再生情報記録手段と、
前記再生に関する情報に基づき、ユーザの視聴習慣を獲得する視聴習慣獲得手段と、
お勧め番組の提示を指示する指示手段と、
前記指示に応じて、前記獲得された視聴習慣の情報に基づいて、まだ再生されていない録画番組のうちからお勧め番組を選択し表示するお勧め番組表示手段とを備えた、お勧め番組提示装置である。
【００１１】
第２の本発明は、
前記再生に関する情報は、再生時間帯に関する情報であり、
前記視聴習慣獲得手段は、前記指示手段によって指示された際の指示時刻に基き、予め決められた基準に従って特定される時刻または時間帯と、過去に再生された各録画番組の前記再生時間帯とを比較対照し、前記再生された各録画番組の中から、時に関する所定の規則に合致する録画番組を選択し、前記選択された録画番組を番組の所定の属性毎に、前記視聴習慣として、集計する、属性毎集計手段であり、
前記お勧め番組表示手段は、前記属性毎集計手段の集計結果に基づいて、まだ再生されていない録画番組のうちからお勧めの番組を選択し表示する手段である、第１の本発明のお勧め番組提示装置である。
【００１２】
第３の本発明は、
前記番組の所定の属性を番組毎に入力する入力手段を備えた、第２の本発明のお勧め番組提示装置である。
【００１３】
第４の本発明は、
前記入力手段は、ユーザがマニュアルで番組毎に前記所定の属性を入力する手段である、第３の本発明のお勧め番組提示装置である。
【００１４】
第５の本発明は、
前記入力手段は、通信により番組毎に前記所定の属性を受信する手段である、第３の本発明のお勧め番組提示装置である。
【００１５】
第６の本発明は、
番組が録画される際に、前記録画される番組の前記所定の属性のみを記録する録画情報記録手段を備えた、第２の本発明のお勧め番組提示装置である。
【００１６】
第７の本発明は、
第２の本発明のお勧め番組提示装置と、
番組を録画する録画手段と、
録画された番組を再生する再生手段とを備え、
前記録画手段は、録画する際に、前記録画する番組の所定の属性も記録する、番組録画再生装置である。
【００１７】
第８の本発明は、
前記番組の所定の属性は、ジャンルである、第２の本発明のお勧め番組提示装置である。
【００１８】
第９の本発明は、
前記番組の所定の属性は、番組名である、第２の本発明のお勧め番組提示装置である。
【００１９】
第１０の本発明は、
前記番組の所定の属性は、前記番組が録画された録画時間帯である、第２の本発明のお勧め番組提示装置である。
【００２０】
第１１の本発明は、
前記番組の所定の属性は、前記番組の録画時間の長さである、第２の本発明のお勧め番組提示装置である。
【００２１】
第１２の本発明は、
前記予め決められた基準に従って特定される前記時刻または時間帯とは、前記指示時刻と同一の時刻もしくは前記指示時刻と所定時間離れた時刻、または前記指示時刻を含む所定幅の時間帯である、第２の本発明のお勧め番組提示装置である。
【００２２】
第１３の本発明は、
前記録画番組を選択する際の、前記所定の規則に合致する場合とは、
前記再生時間帯と、前記予め決められた基準に従って特定される前記時刻とを比較する場合には、前記特定される時刻が前記再生時間帯に含まれる場合をいい、
前記再生時間帯と、前記予め決められた基準に従って特定される前記時間帯とを比較する場合には、前記特定される時間帯と前記再生時間帯とが重なる部分が、前記特定される時間帯のうちもしくは前記再生時間帯のうち、所定割合以上の場合をいう、第２の本発明のお勧め番組提示装置である。
【００２３】
第１４の本発明は、
前記集計結果に基づいて選択するとは、
より多くの番組数に対応するジャンルの順番で、まだ再生されていない録画番組を選択することである、第８の本発明のお勧め番組提示装置である。
【００２４】
第１５の本発明は、
前記集計結果に基づいて選択するとは、
より多くの番組数に対応する番組名の順番で、まだ再生されていない録画番組を選択することである、第９の本発明のお勧め番組提示装置である。
【００２５】
第１６の本発明は、
前記属性毎集計手段は、同じ所定の文字列を含む番組名を同一の番組名として集計し、
前記お勧め番組表示手段は、前記同じ所定の文字列を含む番組名に属するまだ再生されていない録画番組を、前記同一の番組名に属する録画番組として選択し表示する、第１５の本発明のお勧め番組提示装置である。
【００２６】
第１７の本発明は、
前記集計結果に基づいて選択するとは、
所定割合以上の時間が重なっている録画時間帯を同一の録画時間帯とし、より多くの番組数に対応する録画時間帯の順番で、まだ再生されていない録画番組を選択することである、第１０の本発明のお勧め番組提示装置である。
【００２７】
第１８の本発明は、
前記集計結果に基づいて選択するとは、
より多くの番組数に対応する録画時間の長さの順番で、まだ再生されていない録画番組を選択することである、第１１の本発明のお勧め番組提示装置である。
【００２８】
第１９の本発明は、
前記予め決められた基準に従って特定される前記時刻または前記時間帯は、時、および分で表される、第２の本発明のお勧め番組提示装置である。
【００２９】
第２０の本発明は、
前記予め決められた基準に従って特定される前記時刻または前記時間帯は、曜日、時、および分で表される、第２の本発明のお勧め番組提示装置である。
【００３０】
第２１の本発明は、
前記予め決められた基準に従って特定される前記時刻または前記時間帯は、日、時、および分で表される、第２の本発明のお勧め番組提示装置である。
【００３１】
第２２の本発明は、
前記時刻または前記時間帯を特定する際に用いられる前記予め決められた基準を、休日か平日かによって異ならせる、第２の本発明のお勧め番組提示装置である。
【００３２】
第２３の本発明は、
録画番組を再生する際に、再生時間帯を記録する再生情報記録ステップと、
お勧め番組の提示を指示する指示ステップと、
前記指示時刻に基き、予め決められた基準に従って特定される時刻または時間帯と、過去に再生された各録画番組の前記再生時間帯とを比較対照し、前記再生された各録画番組の中から、時に関する所定の規則に合致する録画番組を選択し、前記選択された録画番組を番組の所定の属性毎に集計する、属性毎集計ステップと、
属性毎集計ステップで集計した集計結果に基づいて、まだ再生されていない録画番組のうちからお勧めの番組を選択し表示するお勧め番組表示ステップとを備えた、お勧め番組提示方法である。
【００３３】
第２４の本発明は、
前記番組の所定の属性は、入力手段により番組毎に入力される、第２３の本発明のお勧め番組提示方法である。
【００３４】
第２５の本発明は、
番組が録画される際に、前記番組の前記所定の属性のみが記録される、第２３の本発明のお勧め番組提示方法である。
【００３５】
第２６の本発明は、
第２３の本発明のお勧め番組提示方法と、
番組を録画する録画ステップと、
録画された番組を再生する再生ステップとを備え、
前記録画ステップは、録画する際に、前記録画する番組の所定の属性も記録する、番組録画再生方法である。
【００３６】
第２７の本発明は、
第２３の本発明のお勧め番組提示方法の、再生時間帯を記録する前記再生情報記録ステップと、お勧め番組の提示を指示する前記指示ステップと、選択された録画番組を番組の所定の属性毎に集計する前記属性毎集計ステップと、まだ再生されていない録画番組のうちからお勧めの番組を選択し表示する前記お勧め番組表示ステップとをコンピュータに実行させるためのプログラムである。
【００３７】
第２８の本発明は、
第２７の本発明のプログラムを記録した記録媒体であって、コンピュータにより処理可能な記録媒体である。
【発明の効果】
【００３８】
本発明により、録画されて保存されている未視聴の録画済番組について、お勧め番組をユーザに提示できる、お勧め番組提示装置、番組録画再生装置、お勧め番組提示方法、および番組録画再生方法を提供することができる。
【発明を実施するための最良の形態】
【００３９】
以下、本発明の実施の形態について、図面を参照して説明する。
【００４０】
（実施の形態１）
図１は、本発明の実施の形態１に係る録画再生機器のシステムブロック図である。
【００４１】
図１において、録画再生機器１０１は、例えばハードディスクドライブユニットを内蔵する光学式情報記録再生装置などの、テレビジョン放送番組を予約録画し再生する装置である。
【００４２】
録画再生機器１０１は、テレビジョン放送番組（以下、番組という）の映像情報を記録媒体１１２に録画する録画手段１１０と、記録媒体１１２に録画された番組の映像情報を再生する再生手段１１１を備えている。記録媒体１１２は、例えばハードディスクなどである。
【００４３】
データベース１０２は、記録媒体１１２に録画した録画済番組に関する番組データを記録するデータベースであり、本実施の形態１では、番組録画用の記録媒体１１２の一部を用いて構成されている。
【００４４】
情報処理手段１０３は、データベース１０２にアクセスして、録画済番組のうち未視聴番組から視聴お勧めの番組リストを作成する。データ出力手段１０４は、情報処理手段１０３にて作成された視聴お勧め番組リストをテレビジョン受像機などの表示手段１０９に表示させる。
【００４５】
そして、録画情報登録手段１０５は、番組の録画の際に、その番組の属性情報をデータベース１０２に記録する。本実施の形態１においては、番組の所定の属性として、ジャンル情報が録画情報登録手段１０５によってデータベース１０２に記録される。
【００４６】
再生情報記録手段１０６は、再生手段１１１が記録媒体１１２に録画された録画番組を再生する際に、「年／月／日／曜日  時：分：秒」のフォーマットからなる信号を出力して、その再生する番組の再生開始時刻と再生終了時刻、すなわち再生時間情報をデータベース１０２に記録する。
【００４７】
データ入力手段１０７は、リモートコントローラ（以下、リモコンという）１０８に設けられた視聴お勧め番組ボタンを操作することによって、現在時刻における視聴お勧め番組の作成表示の指示をリモコン１０８から受信し、録画再生機器１０１が内蔵する時計信号から現在時刻を取得し、その時刻をもとに情報処理手段１０３に視聴お勧め番組リストの作成を促す。
【００４８】
表示手段１０９は、録画再生機器１０１のデータベース１０２から情報処理手段１０３によってデータ出力手段１０４に供給された番組データを、データ出力手段１０４から受信して表示するテレビジョン受像機などの表示装置である。
【００４９】
なお、録画再生機器１０１が備えている記録媒体１１２、録画手段１１０、再生手段１１１には、既に販売されている大容量磁気ディスク−光ディスク記録再生装置（通称ＨＤＤ−ＤＶＤレコーダ）などを用いることができる。そして、このような装置の磁気ディスク（ＨＤＤ）を、上記のように番組録画のための記録媒体１１２とし、それをデータベース１０２用に兼用させてもよいし、データベース１０２は、別の記録媒体に記録するようにしてもよい。
【００５０】
なお、録画再生機器１０１、リモコン１０８、表示手段１０９を合わせた図１に示す構成が、本発明の番組録画再生装置の一例にあたる。また、録画情報登録手段１０５が、本発明の録画情報記録手段の一例にあたる。また、リモコン１０８が、本発明の指示手段の一例にあたる。また、データ入力手段１０７と情報処理手段１０３の一部の機能（後述する、図６に示すＳ２０３〜Ｓ２０５を処理する機能）を合わせたものが、本発明の視聴習慣獲得手段の一例であり、さらには本発明の属性毎集計手段の一例にあたる。さらに、その属性毎の集計結果が、本発明における視聴習慣の一例にあたる。また、情報処理手段１０３の一部の機能（後述する、図６に示すＳ２０６を処理する機能）とデータ出力手段１０４と表示手段１０９とを組み合わせたものが、本発明のお勧め番組表示手段の一例にあたる。
【００５１】
また、図１に示す本発明の番組録画再生装置の構成から、録画手段１１０および再生手段１１１を除いた構成が、本発明のお勧め番組提示装置の一例にあたる。
【００５２】
次に、データベース１０２の構成について説明する。
【００５３】
データベース１０２の記録フォーマットはカード型であり、１つのカードが１つの番組に相当する。そして、本実施の形態１においては、１つの番組につき、その番組ＩＤ、番組名、ジャンル情報、再生時間情報からなる番組データがデータベース１０２へ記録される。なお、この番組データには各番組に関して他の情報が追加されていてもよい。
【００５４】
ここで、番組ＩＤとは、記録媒体に記録された録画済みの番組を特定するために割り当てられたＩＤで、ここでは４桁の数字である。番組ＩＤは、ここでは、録画開始の際に付与されていくものであり、録画開始時刻順に増加していくものとする。つまり、番組ＩＤの順番は、録画した時間順となる。
【００５５】
また、番組名は、その録画済番組を表す名前であり、ジャンル情報は、その録画済番組が属するジャンルである。
【００５６】
番組の録画開始時に、その録画番組に関する番組データがデータベース１０２に記録される。この時には、１つの番組につき、番組ＩＤ、番組名、ジャンル情報が記録される。また、番組データに、これらに加えて、録画開始時刻などの情報が追加されていてもよい。
【００５７】
そして、ユーザが録画番組を再生した時には、その録画番組の再生開始時に再生開始時刻が、再生終了時には再生終了時刻が、それぞれ再生時間情報として、データベース１０２の番組データに追加される。再生時間情報は、それぞれの時点で、再生情報記録手段１０６が、録画手段１１０からそれぞれのタイミングを示す録画情報を受信し、それぞれのタイミングに録画再生機器１０１が内蔵する時計信号を受信して、データベース１０２に記録する。
【００５８】
次に、本実施の形態１の録画再生機器１０１の動作について、図１〜図６を用いて説明するとともに、本発明のお勧め番組提示方法および番組録画再生方法の動作について説明する。
【００５９】
図２は、録画再生機器１０１によって、番組の録画と再生動作が何回か行われた時点のデータベース１０２の状態を表わした図である。データベース１０２が図２の状態にある時点において、未視聴番組から視聴お勧めリストを作成し、これを表示手段１０９に表示する動作について説明する。
【００６０】
この視聴お勧めリストの作成に当たって、既に視聴（再生）済みの番組の視聴（再生）に関する情報、すなわち、本発明でいう、再生に関する情報を利用する。本実施の形態１では、その再生に関する情報として、再生時間帯を用いる。ここで、再生時間帯とは、再生開始時刻から再生終了時刻までの間の時間帯を言い、本実施の形態１では、その再生時間帯として、その視聴年における曜日と時、分を用いる。その例として、再生開始時刻が2004/01/23（金）21：00、再生終了時刻が2004/01/23（金）21：30の番組の場合、その再生時間帯は（金）21：00−21：30となる。
【００６１】
図６は、本実施の形態１の録画再生機器１０１で、未視聴番組から視聴お勧めリストを作成し表示させる際の処理フローを示している。
【００６２】
まず、現在時刻を2004/03/05（金）20：55とする。ユーザがリモコン１０８の視聴お勧め番組ボタンを操作して、視聴お勧めリストを表示するように録画再生機器１０１のデータ入力手段１０７に対して指示を出す（Ｓ２０１）。すると、データ入力手段１０７は、録画再生機器１０１が内蔵する時計信号から現在時刻（金曜日の20：55）を取得し、その現在時刻をもとに視聴お勧めリスト作成のための基準時刻を算出し、視聴お勧めリストの作成を情報処理手段１０３に指令する（Ｓ２０２）。ここでは、視聴お勧めリスト作成のための基準時刻を、現在時刻から１０分後の時刻とする。つまり、この場合の基準時刻は21：05となる。
【００６３】
なお、「現在時刻」が本発明の「指示時刻」の一例にあたる。また、「基準時刻」が本発明の「特定される時刻」の一例にあたり、「基準時刻を、現在時刻から１０分後の時刻とするという規則」が、本発明の「予め決められた基準」の一例にあたる。また、「現在時刻から１０分後の時刻」が、本発明の「指示時刻と所定時間離れた時刻」の一例にあたる。
【００６４】
そして、情報処理手段１０３は、データベース１０２にアクセスし、既に視聴済みの番組データから、再生曜日が金曜日で再生時間帯に基準時刻21：05を含む番組データを選択する（Ｓ２０３）。なお、「再生時間帯に基準時刻を含むこと」が、本発明の「所定の規則に合致する場合」の一例にあたる。
【００６５】
これにより、情報処理手段１０３によって図２のテーブルＡから再生時間帯が金曜日の21：00−21：30である番組データが選択され、そしてこれらの番組データが、ユーザのこれまでの再生視聴傾向が多いジャンル順に整理される。具体的には、図３のテーブルＢに示すように、データベース１０２から選択された番組データのうち、再生数の多かったジャンル順に、かつ同じジャンル内では番組ＩＤ順に配列される（Ｓ２０４）。図３のテーブルＢは、このようにして情報処理手段１０３によって選択、配列された図である。
【００６６】
次に、情報処理手段１０３は、テーブルＢの番組データの中から、同じジャンルの数を集計し、数が多いジャンルの順に配列する（Ｓ２０５）。図４のテーブルＣは、このようにして情報処理手段１０３によって集計、配列された図である。
【００６７】
そして、情報処理手段１０３は、図４のテーブルＣのデータをもとに、金曜日の21：05という基準時刻を含む再生時間帯を有する番組において、多かったジャンルの順、すなわち「ニュース」、「趣味」、「健康」の順で、かつ番組ＩＤの順に、図２のテーブルＡから再生時間情報が記録されていない未視聴の番組データを選択し、配列する（Ｓ２０６）。図５のテーブルＤは、このようにして情報処理手段１０３によって選択、配列された未視聴の番組データを示す図である。なお、「基準時刻を含む再生時間帯を有する番組の中で、ジャンルの多かった順に配列する」ことが、本発明の「集計結果に基づいて選択する」の一例にあたる。
【００６８】
テーブルＤには、上から順に「ニュース」の「番組ＩＤが００４１、番組名がサテライトテレビ 2/26」の番組データが選択され、次に「趣味」、「健康」の順に、それぞれ「番組ＩＤが００３８、番組名がスキー 2/23」、「番組ＩＤが００５０、番組名が体操 3/4」の番組データが選択されて配列されている。
【００６９】
なお、上記では各ジャンルに未視聴の番組がそれぞれ１つしかないため、この例では番組ＩＤは配列要素にはなってはいない。もちろん各ジャンルにおいて選択される未視聴番組が複数存在する場合は、そのジャンル内で番組ＩＤ順に番組データが配列される。
【００７０】
上記のようにして情報処理手段１０３で作成された未視聴の番組データ配列は、情報処理手段１０３からデータの形でデータ出力手段１０４に供給される。そして、データ出力手段１０４から表示手段１０９にこのデータが供給されて、未視聴番組のお勧めリストとして表示される（Ｓ２０７）。
【００７１】
なお、Ｓ２０１が、本発明の指示ステップの一例にあたる。また、Ｓ２０２〜Ｓ２０５が、本発明の属性毎集計ステップの一例にあたる。また、Ｓ２０６およびＳ２０７が、本発明のお勧め番組表示ステップの一例にあたる。また、図６には示していないが、録画番組を再生する際に再生情報記録手段１０６がデータベース１０２に再生開始時刻および再生終了時刻を記録するステップが、本発明の再生情報記録ステップの一例にあたる。
【００７２】
なお、本実施の形態１では、図５のテーブルＤで選択された未視聴の番組全てを表示手段１０９に表示させることとしたが、例えば、図５のテーブルＤで選択された未視聴の番組の数が多い場合には、Ｓ２０５で集計した際のジャンル数の多かったジャンルに属する未視聴の番組のみを表示させるようにしてもよい。例えば、テーブルＣで選択された際のカウント数の多い順に、所定の番組数まで（例えば５つまで等）の番組情報のみを表示手段１０９に表示させるようにしてもよい。この場合、Ｓ２０６で集計する際に、カウント数の少なかったジャンルを除いて集計するようにしてもよいし、Ｓ２０７で表示手段１０９に表示データを送信する際に、カウント数の少なかったジャンルに属する番組情報を除いて送信するようにしてもよい。
【００７３】
表示手段１０９に未視聴番組のお勧めリストが表示されることにより、ユーザがこれまで金曜日の21：05頃という周期性をもって再生していた視聴済みの録画番組の中で、視聴頻度の多かったジャンル順に、未視聴の番組データが表示されるため、非常に便利なものである。したがって、例えば、ユーザの視聴パターンとしてほぼ同じ周期で同じ番組を再生したいという傾向から、その視聴傾向や要望に沿って、いま現時点で再生を開始し視聴する未視聴番組を即座に選定することができる。
【００７４】
なお、上記では再生時間帯が金曜日の21：00−21：30の場合について説明したが、他の曜日、例えば、月曜日や火曜日などであっても同様であり、また、他の時間、例えば07：00−07：30や17：00−19：00などであっても同様である。
【００７５】
また、上記では再生時間帯として曜日と時間を組み合わせたが、曜日を用いず、時間だけを再生時間帯として用いてもよく、この時間だけの場合は、特に毎日決まった時間に欠かさず見ている番組、例えばニュースなどの視聴に便利である。
【００７６】
また、再生時間帯として時間を用いず、曜日だけであってもよく、この曜日だけの場合は、特に休日のようなライフスタイルが平日とは変わって、視聴開始時間が変化しやすい場合に有効である。なお、この場合の再生時間帯は、「特定の曜日の00：00−24：00」ということになる。
【００７７】
また、再生時間帯は、休日の場合と平日の場合で変えてもよく、例えば休日は曜日だけ、また平日は曜日と時間というように変えるようにしてもよい。このように再生時間帯のパターンを変えることにより、平日はいつもの時間に平日用の再生時間帯に基づいて視聴お勧めリストを作成し、休日は休日用の再生時間帯により撮りだめした映画などをのんびりと視聴するための視聴お勧めリストを作成するようにすれば、平日と休日で変わる視聴スタイルの変化に対応した視聴お勧めリストを提供することができる。
【００７８】
また、再生時間帯として、上記に加えて年や月、日が含まれてもよい。月日および時間を再生時間帯に含む例としては、６ヶ月にわたるドキュメンタリー番組が１ヶ月に１話づつ放映されている場合、再生時間帯は毎月決まった日、時間になる。
【００７９】
また、上記の説明では、情報処理手段１０３によって図２のテーブルＡから再生時間帯が一致する番組データを選択する方法として、再生時間帯に基準時刻を含む番組を再生時間帯が一致する番組として処理したが、再生時間帯同士を比較して再生時間帯の一致を判断させるようにしてもよい。
【００８０】
図７（ａ）は、上述したように、基準時刻を用いて再生時間帯の一致を判定する方法を説明する図、図７（ｂ）は、再生時間帯同士を比較して再生時間帯の一致を判定する方法を説明する図をそれぞれ示している。
【００８１】
図７（ａ）、図７（ｂ）において、過去に再生された複数の録画番組のそれぞれの再生時間帯を矩形で示している。ここでは、説明を簡単にするためにいずれの再生時間帯も３０分間の長さとしている。
【００８２】
図７（ａ）において、現在時刻が20：55とし、基準時刻を「現在時刻から１０分後の時刻」とすると、基準時刻は、図７（ａ）に示すように、21：05となる。図７（ａ）の斜線で示す矩形は、その再生時間帯に基準時刻を含んでいる時間帯であり、斜線の無い矩形は、その再生時間帯に基準時刻を含んでいない時間帯である。つまり、再生が20：45、20：55、21：00から開始する番組は、それらの再生時間帯に基準時刻を含んでいるが、再生が20：30および21：10から開始する番組は、それらの再生時間帯に基準時刻を含んでいない。
【００８３】
この場合は、その再生時間帯に基準時刻を含んでいる番組を再生時間帯が一致する番組とし、その再生時間帯に基準時刻を含んでいない番組を再生時間帯が一致しない番組と判定するので、図２のテーブルＡに示される番組の中から、図７（ａ）の斜線で示される矩形の再生時間帯を有する番組だけが、図３のテーブルＢの番組として選択されることになる。
【００８４】
なお、ここでは、基準時刻を「現在時刻から１０分後の時刻」としたが、これに限るものでは無く、基準時刻を、「現在時刻と同一の時刻」、「現在時刻よりも前の時刻」、「１０分後に限らない現在時刻よりも後の時刻」などとしてもよい。
【００８５】
図７（ｂ）の場合は、基準とする再生時間帯を基準時間帯として、その基準時間帯と各録画番組の再生時間帯との時間帯の重なり程度によって、再生時間帯が一致するか否かを判定する。例えば、図７（ｂ）の場合は、基準時間帯と各録画番組の再生時間帯との重なる時間帯が８０％以上の場合を、「再生時間帯が一致する」と判定している。なお、図７（ｂ）に示す基準時間帯が、本発明の、特定される時間帯の一例にあたる。また、「基準時間帯と各録画番組の再生時間帯との重なる時間帯が８０％以上の場合」が、本発明の「所定の規則に合致する場合」の一例にあたる。
【００８６】
図７（ｂ）では、この基準時間帯を21：00−21：30の３０分間としているので、そのうちの８０％、すなわち２４分間以上の時間帯が重なっている再生時間帯を有する番組を、再生時間帯が一致する番組と判定する。
【００８７】
図７（ｂ）の斜線で示す矩形は、その再生時間帯が基準時間帯と２４分間以上重なる時間帯を有するものであり、斜線の無い矩形は、その再生時間帯が基準時間帯と２４分間以上は重なっていないものである。つまり、再生が20：55および21：05から開始する番組は、いずれも基準時間帯と２４分間以上（２５分間）の重なる時間帯があるが、再生が20：30、20：45、21：10から開始する番組は、いずれも基準時間帯と重なる時間帯の長さが２４分間未満である。
【００８８】
つまり、この場合は、その再生時間帯が基準時間帯の８０％以上の時間帯と重なる番組を再生時間帯が一致する番組とし、その再生時間帯と基準時間帯との重なる時間が基準時間帯の８０％未満の番組を再生時間帯が一致しない番組と判定するので、図２のテーブルＡに示される番組の中から、図７（ｂ）の斜線で示される矩形の再生時間帯を有する番組だけが、図３のテーブルＢの番組として選択されることになる。
【００８９】
なお、ここで基準とする基準時間帯は、どのようにして決めてもよい。例えば、リモコン１０８の文字コードボタンを操作することにより基準時間帯の情報をデータ入力手段１０７に受信させるようにすると、ユーザが自由に基準時間帯を決めることができる。
【００９０】
また、現在時刻から基準時間帯を決めるようにしてもよい。例えば、「現在時刻を含む、毎時の０分から始まる３０分間を基準時間帯とする」という規則にしておけば、現在時刻が21：05の場合には、基準時間帯は21：00−21：30となる。なお、このようにして決められた「基準時間帯21：00−21：30」が、本発明の、「指示時刻を含む所定幅の時間帯」の一例にあたる。
【００９１】
また、現在時刻よりも先の予測される時間帯を複数表示して、ユーザに選択させるようにしてもよい。この場合、現在時刻が20：55であれば、例えば、基準時間帯の候補として、「21：00−21：30」、「21：30−22：00」、「21：00−22：00」、「21：30−22：30」などを表示させ、これらの中からユーザがリモコン１０８等により選択させるようにしてもよい。
【００９２】
なお、図７（ａ）、（ｂ）では、説明をわかりやすくするために、いずれの番組の再生時間帯も３０分間としたが、これ以外の長さの時間帯であってもよいし、異なる長さの時間の再生時間帯が混在していてもよい。
【００９３】
なお、本実施の形態１において、所定の属性として使用するジャンル情報は、番組を録画する際に、録画情報登録手段１０５がデータベース１０２に記録できればよい。例えば、録画予約する際に、その予約する番組のジャンル情報を予め記録させておけばよいし、番組を録画する際に、その番組のジャンル情報が取得できるのであれば、その情報を使用すればよい。
【００９４】
例えば、リモコン１０８の文字コードボタンを操作することによりリモコン１０８からジャンル情報を送信し、そのジャンル情報のデータをデータ入力手段１０７が受信できるようにしておけば、ユーザは、番組を録画予約する際に、その番組のジャンル情報をマニュアルで入力することができる。この場合、番組を録画予約する際に限らず、番組予約をした後に、リモコン１０８を用いて、複数の録画予約している番組のジャンル情報をまとめて入力することもできる。
【００９５】
また、録画予約する際に、録画予約する番組のジャンル情報が取得できるような番組録画予約システム（番組に付けられたコードを予め入力しておくことにより、自動的に録画されるシステムなど）を用いた場合には、録画予約する際に番組録画予約システムからジャンル情報を受信して、それを記録するようにしておけばよい。
【００９６】
このように、録画予約する際にジャンル情報を記録させる場合には、番組を録画する際に、録画情報登録手段１０５が、そのジャンル情報を読み出し、録画する番組のジャンル情報としてデータベース１０２に記録するようにできる。
【００９７】
また、デジタル放送などで、放送される番組とともに番組名やジャンル情報を受信できる場合には、録画の際に、録画情報登録手段１０５がそのジャンル情報を取得し、データベース１０２に記録するようにすればよい。
【００９８】
なお、上記で、リモコン１０８を用いてジャンル情報を入力する手段が、本発明の、マニュアルで所定の属性を入力する手段の一例にあたる。また、番組録画予約システムやデジタル放送でジャンル情報を受信する手段が、本発明の、通信により所定の属性を受信する手段の一例にあたる。
【００９９】
また、番組データとしてデータベース１０２に記録される番組名についても、ジャンル情報と同様に、録画予約する際にリモコン１０８を用いてマニュアルで入力したり、番組録画予約システムやデジタル放送のデータで自動的に入力させることができる。
【０１００】
このように、本実施の形態１の録画再生機器を用いることにより、視聴済みの番組をジャンルという面から分析した未視聴番組の視聴お勧めリストを表示させることができる。
【０１０１】
（実施の形態２）
次に、本発明の実施の形態２に係る録画再生機器について説明する。
【０１０２】
本実施の形態２において、視聴お勧めリストを作成し表示するための録画再生機器の構成は、実施の形態１で示した図１と同様であるため、これを援用して説明を省略し、異なるところについて説明する。
【０１０３】
本実施の形態２が、実施の形態１と異なるところは、データベース１０２に記録される録画済番組の番組データの構成要素が「番組ＩＤと番組名と再生時間情報」からなることである。つまり、実施の形態１の場合と比べると、本実施の形態２の場合には、録画済番組の番組データの構成要素としてジャンル情報を含んでいない点が異なる。もちろん、番組データに、これらに加えて録画開始時刻などの情報が追加されていてもよい。
【０１０４】
次に、本実施の形態２の録画再生機器１０１の動作について、図１、図８〜図１２を用いて説明するとともに、本発明のお勧め番組提示方法および番組録画再生方法の動作について説明する。
【０１０５】
本実施の形態２においても、再生時間帯を（金）21：00−21：30、現在時刻を2004/03/05（金）20：55として説明する。
【０１０６】
図８は、録画再生機器１０１によって、番組の録画と再生動作が何回か行われた時点のデータベース１０２の状態を表わした図である。データベース１０２が図８の状態にある時点において、未視聴番組から視聴お勧めリストを作成し、これを表示手段１０９に表示する動作について説明する。
【０１０７】
図１２は、本実施の形態２の録画再生機器１０１で、未視聴番組から視聴お勧めリストを作成し表示させる際の処理フローを示している。
【０１０８】
実施の形態１と同様に、まず、ユーザがリモコン１０８の視聴お勧め番組ボタンを操作して、視聴お勧めリストを表示するように録画再生機器１０１のデータ入力手段１０７に対して指令を出す（Ｓ３０１）。すると、データ入力手段１０７は、録画再生機器１０１が内蔵する時計信号から現在時刻（金曜日の20：55）を取得し、その現在時刻をもとに視聴お勧めリスト作成のための基準時間を算出し、視聴お勧めリストの作成を情報処理手段１０３に指令する（Ｓ３０２）。ここでは、実施の形態１と同様に、視聴お勧めリスト作成のための基準時刻を、現在時刻から１０分後の時刻とする。つまり、この場合の基準時刻は21：05となる。
【０１０９】
そして、情報処理手段１０３は、データベース１０２にアクセスし、既に視聴済みの番組データから、再生曜日が金曜日で再生時間帯に基準時刻21：05を含む番組データを選択する（Ｓ３０３）。
【０１１０】
さらに、情報処理手段１０３によって、基準時刻をもとに選択された視聴済番組が、ユーザのこれまでの再生視聴傾向が多い番組データ順に整理され、図９のテーブルＢに示すように番組名に基づいて再生数の多かった番組名順に、「おたのしみ劇場」、「パッチワーク入門」、「トレンド最前線」という順になり、かつこれらが同じ番組名内では番組ＩＤ順に配列される（Ｓ３０４）。図９のテーブルＢは、このようにして情報処理手段１０３によって選択、配列された図である。
【０１１１】
次に、情報処理手段１０３は、テーブルＢの再生時間帯および番組名が一致する番組データの数を集計し、数が多かった番組名順に配列する（Ｓ３０５）。図１０のテーブルＣは、このようにして情報処理手段１０３によって番組データが集計、配列された図である。
【０１１２】
そして、情報処理手段１０３は、図１０のテーブルＣのデータをもとに、金曜日の21：05という基準時刻を含む再生時間帯を有する番組で数の多かった番組名順、すなわち「おたのしみ劇場」、「パッチワーク入門」、「トレンド最前線」の順で、かつその各番組名内で番組ＩＤの順に基づいて、図８のテーブルＡから再生時間情報が記録されていない未視聴の番組データを選択し、配列する（Ｓ３０６）。図１１のテーブルＤは、このようにして情報処理手段１０３によって選択、配列された未視聴の番組データを示す図である。
【０１１３】
テーブルＤには、上から順に「おたのしみ劇場」の「番組ＩＤが００４１」の番組データが選択され、次に「パッチワーク入門」、「トレンド最前線」の順に、それぞれ「番組ＩＤが００３２」、「番組ＩＤが００２０」が選択され、配列されている。
【０１１４】
なお、上記では１つの番組名に対して未視聴の番組がそれぞれ１つしかないため、この例では番組ＩＤは配列要素にはなってはいない。もちろん各番組名において選択される未視聴番組が複数存在する場合は、その番組名内で番組ＩＤ順に配列される。
【０１１５】
上記のようにして情報処理手段１０３で作成された未視聴の番組データ配列は、情報処理手段１０３からデータの形でデータ出力手段１０４に供給される。そして、データ出力手段１０４から表示手段１０９にこのデータが供給されて、未視聴番組のお勧めリストとして表示される（Ｓ３０７）。
【０１１６】
なお、Ｓ３０１が、本発明の指示ステップの一例にあたる。また、Ｓ３０２〜Ｓ３０５が、本発明の属性毎集計ステップの一例にあたる。また、Ｓ３０６およびＳ３０７が、本発明のお勧め番組表示ステップの一例にあたる。また、図１２には示していないが、録画番組を再生する際に再生情報記録手段１０６がデータベース１０２に再生開始時刻および再生終了時刻を記録するステップが、本発明の再生情報記録ステップの一例にあたる。
【０１１７】
この未視聴番組のお勧めリストの表示により、ユーザがこれまで金曜日の21：05頃という時刻に周期性をもって再生していた視聴済みの録画番組の中で、視聴頻度の多かった番組名を有する番組順に、未視聴の番組データが表示されるため、ユーザはこのリストを見て、これまで金曜日の21：05頃という時刻に周期性をもって視聴していた番組を即座に知ることができ、非常に便利なものである。したがって、例えば、ユーザの視聴パターンとしてほぼ同じ周期で同じ番組を視聴したいという傾向から、その視聴傾向や要望に沿って、いま現時点で再生を開始し視聴する未視聴番組を即座に選定することができる。
【０１１８】
なお、上記において、番組名が完全に一致しなくても、番組名に共通するキーワードを含む番組を、同じ番組として分類するようにしてもよい。
【０１１９】
図１３は、共通するキーワードを番組名に有することによって同じ番組とみなす分類方法を説明する図である。この場合、例えば「スキー旅行」と「スキー教室」という番組名において、「スキー」というキーワードの文字列が部分一致した場合、同じ視聴傾向として同じ番組として分類し、キーワードが一致しない、例えば「スケート教室」は異なる番組として分類する。なお、ここでいうキーワードが、本発明の所定の文字列の一例にあたる。
【０１２０】
本実施の形態２においても、再生時間帯として金曜日の21：00−21：30の場合について説明したが、これは他の曜日、例えば、月曜日や火曜日などであっても同様である。また、他の時間、例えば07：00−07：30や17：00−19：00などであっても同様である。
【０１２１】
また、上記では再生時間帯として曜日と時間を組み合わせたが、これは時間だけであってもよく、この時間だけの場合は、特に毎日決まった時間に欠かさず見ている番組、例えばニュースなどの視聴に便利である。
【０１２２】
また、再生時間帯は曜日だけであってもよい。この曜日だけの場合は、特に休日のようなライフスタイルが平日とは異なり、視聴開始時間が特定されないような状態の時に有効である。
【０１２３】
また、再生時間帯は、休日の場合と平日の場合で変えてもよく、例えば休日は曜日だけ、また平日は曜日と時間というように変えるようにしてもよい。このように再生時間帯のパターンを変えることにより、平日はいつもの時間に平日用の再生時間帯に基づいて視聴お勧めリストを作成し、休日は休日用の再生時間帯により撮りだめした映画などをのんびりと視聴するための視聴お勧めリストを作成するようにすれば、平日と休日で変わる視聴スタイルの変化に対応した視聴お勧めリストを提供することができる。
【０１２４】
さらに、実施の形態１と同様に、再生時間帯として、上記に加えて年や月、日を含むようにしてもよい。月、日および時間が再生時間帯になる例としては、６ヶ月にわたるドキュメンタリーが１ヶ月に１話ずつテレビ放送局から放映されている場合、再生時間帯は毎月決まった日、時間になる。
【０１２５】
このように、本実施の形態２の録画再生機器を用いることにより、視聴済みの番組から、番組名という面から分析した未視聴番組の視聴お勧めリストを表示させることができる。
【０１２６】
（実施の形態３）
次に、本発明の実施の形態３に係る録画再生機器について説明する。
【０１２７】
本実施の形態３において、視聴お勧めリストを作成し表示するための録画再生機器の構成は、実施の形態１で示した図１と同様であるため、これを援用して説明を省略し、異なるところについて説明する。
【０１２８】
本実施の形態３が、実施の形態１と異なるところは、データベース１０２に記録される録画済番組の番組データの構成要素が「番組ＩＤと番組名と録画時間情報と再生時間情報」からなることである。つまり、録画済番組の番組データの構成要素として、実施の形態１ではジャンル情報を含む代わりに、本実施の形態３では録画時間情報を含んでいる点が異なる。もちろん、番組データに、これらに加えて実施の形態１と同様のジャンル情報などの情報が追加されていてもよい。
【０１２９】
本実施の形態３では、録画情報登録手段１０５は、番組の録画の際に、録画の開始および終了タイミングを示す録画情報を録画手段１１０から受信し、「年／月／日／曜日  時：分：秒」のフォーマットからなる信号を出力して、その番組の録画開始時刻と録画終了時刻、すなわち録画時間情報をその番組の属性情報としてデータベース１０２に記録する。ここで、録画開始時刻と録画終了時刻の間の時間帯を録画時間帯とする。
【０１３０】
データベース１０２の記録フォーマットは、実施の形態１と同様のカード型であり、１つのカードが１つの番組に相当する。そして、本実施の形態３においては、１つの番組につき、その番組ＩＤ、番組名、録画時間情報、再生時間情報からなる番組データがデータベース１０２へ記録される。
【０１３１】
なお、録画番組に関する番組データとして、番組の録画開始時に、１つの番組につき、番組ＩＤ、番組名、録画開始時刻が上記のフォーマットの形で記録され、その番組の録画終了時に、録画終了時刻が同様に上記フォーマットの形で記録される。
【０１３２】
そして、ユーザが録画番組を再生した時には、その再生番組の開始時に再生開始時刻が、再生終了時に再生終了時刻が、それぞれ再生時間情報としてデータベース１０２の番組データに追加して記録される。
【０１３３】
録画時間情報は録画情報登録手段１０５が、再生時間情報は再生情報記録手段１０６が、それぞれ、録画再生機器１０１が内蔵する時計信号を受信して、それぞれの時点でデータベース１０２に記録する。
【０１３４】
次に、本実施の形態３の録画再生機器１０１の動作について、図１、図１４〜図１８を用いて説明するとともに、本発明のお勧め番組提示方法および番組録画再生方法の動作について説明する。
【０１３５】
図１４は、録画再生機器１０１にて、番組の録画と再生動作が何回か行われた時点のデータベース１０２の状態を表わした図である。データベース１０２が図１４の状態にある時点において、未視聴番組から視聴お勧めリストを作成し、これを表示手段１０９に表示する動作について説明する。
【０１３６】
本実施の形態３においても、再生時間帯を（金）21：00−21：30、現在時刻を2004/03/05（金）20：55として、説明する。
【０１３７】
図１８は、本実施の形態３の録画再生機器１０１で、未視聴番組から視聴お勧めリストを作成し表示させる際の処理フローを示している。
【０１３８】
実施の形態１と同様に、まず、ユーザがリモコン１０８の視聴お勧め番組ボタンを操作して、視聴お勧めリストを表示するように録画再生機器１０１のデータ入力手段１０７に対して指令信号を出す（Ｓ４０１）。すると、データ入力手段１０７は、録画再生機器１０１が内蔵する時計信号から現在時刻を取得し、その現在時刻をもとに視聴お勧めリスト作成のための基準時刻を算出し、視聴お勧めリストの作成を情報処理手段１０３に依頼（指令）する（Ｓ４０２）。ここでは、実施の形態１と同様に、視聴お勧めリスト作成のための基準時刻を、現在時刻から１０分後の時刻とする。つまり、この場合の基準時刻は21：05となる。
【０１３９】
そして、情報処理手段１０３は、データベース１０２にアクセスし、既に視聴済み（再生時間情報が記録済み）の番組データから、再生曜日が金曜日で再生時間帯に基準時刻21：05を含む番組データを選択する（Ｓ４０３）。
【０１４０】
これにより、情報処理手段１０３によって図１４のテーブルＡから再生時間帯が金曜日の21：00−21：30の番組データが選択され、そしてこれらの番組データがユーザのこれまでの再生視聴傾向が高い番組順に整理されるとともに、さらに図１５のテーブルＢに示すように、それらの番組データのうち、録画時間情報に基づいて録画曜日・時間の多かった順に上から「日曜日10：00−10：30」、「月曜日14：00−14：30」、「日曜日02：00−02：30」の順に、かつその曜日・時間毎に録画開始時刻順に配列される（Ｓ４０４）。図１５のテーブルＢは、このようにして情報処理手段１０３によって選択、配列された図である。
【０１４１】
次に、情報処理手段１０３は、テーブルＢの録画時間帯が一致する番組を集計（例えば、録画時間が日曜日の10：00−10：30の番組を数えると３つ）し、数が多かった録画時間情報の順に配列する（Ｓ４０５）。図１６のテーブルＣは、このようにして情報処理手段１０３によって集計、配列された図である。
【０１４２】
そして、情報処理手段１０３は、図１６のテーブルＣのデータをもとに、金曜日の21：05という基準時刻を含む再生時間帯で録画の曜日・時間パターン（録画時間帯）の多かった順、すなわち「日曜日10：00−10：30」、「月曜日14：00−14：30」、「日曜日02：00−02：30」の順で、かつ録画開始時刻の順に基づいて、図１４のテーブルＡから再生時間情報が登録されていない未視聴の番組データを選択し、配列する（Ｓ４０６）。図１７のテーブルＤは、このようにして情報処理手段１０３によって選択、配列された未視聴の番組データを示す図である。
【０１４３】
すなわち、Ｓ４０６の処理により、図１７に示すように、上から順に「日曜日10：00−10：30」の「番組ＩＤが００４１、番組名が英会話2/22」の番組データが選択され、次に「月曜日14：00−14：30」、「日曜日02：00−02：30」の順に、それぞれ「番組ＩＤが００４５、番組名が園芸2/23」、「番組ＩＤが００４０、番組名がペット2/22」の番組データが選択されて配列される。
【０１４４】
なお、上記では、図１６のテーブルＣに選択された録画時間帯と一致する番組がそれぞれ１つしかないため、この例では録画開始時刻は配列要素にはなってはいない。もちろん各録画時間帯において選択される未視聴番組が複数存在する場合は、その録画時間帯内で録画開始時刻順に配列される。
【０１４５】
上記のようにして情報処理手段１０３で作成された未視聴の番組データ配列は、情報処理手段１０３からデータの形でデータ出力手段１０４に供給される。そして、データ出力手段１０４から表示手段１０９にこのデータが供給されて、未視聴番組のお勧めリストとして表示される（Ｓ４０７）。
【０１４６】
なお、Ｓ４０１が、本発明の指示ステップの一例にあたる。また、Ｓ４０２〜Ｓ４０５が、本発明の属性毎集計ステップの一例にあたる。また、Ｓ４０６およびＳ４０７が、本発明のお勧め番組表示ステップの一例にあたる。また、図１８には示していないが、録画番組を再生する際に再生情報記録手段１０６がデータベース１０２に再生開始時刻および再生終了時刻を記録するステップが、本発明の再生情報記録ステップの一例にあたる。
【０１４７】
この未視聴番組のお勧めリストの表示により、ユーザがこれまで金曜日の21：05頃という時刻に周期性をもって再生していた視聴済みの録画番組の中で、視聴頻度の多かった録画時間帯を有する番組順に、未視聴の番組リストが表示されるため、非常に便利なものである。したがって、例えば、ユーザの視聴パターンとしてほぼ同じ周期で同じ番組を再生したいという傾向から、その視聴傾向や要望に沿って、いま現時点で再生を開始し視聴する未視聴番組を即座に選定することができる。
【０１４８】
本実施の形態３においても、再生時間帯が金曜日の21：00−21：30の場合について説明したが、他の曜日、例えば、月曜日や火曜日などであっても同様である。また、他の時間、例えば07：00−07：30や17：00−19：00などであっても同様である。
【０１４９】
また、上記では再生時間帯として曜日と時間を組み合わせたが、曜日を用いず、時間だけを再生時間帯としてもよく、この時間だけの場合は、特に毎日決まった時間に欠かさず見ている番組、例えばニュースなどの視聴に便利である。
【０１５０】
また、再生時間帯として時間を用いず、曜日だけであってもよく、この曜日だけの場合は、特に休日のようなライフスタイルが平日とは変わって、視聴開始時間が変化しやすい場合に有効である。
【０１５１】
また、再生時間帯は、休日の場合と平日の場合で変えてもよく、例えば休日は曜日だけ、また平日は曜日と時間というように変えるようにしてもよい。このように再生時間帯のパターンを変えることにより、平日はいつもの時間に平日用の再生時間帯に基づいて視聴お勧めリストを作成し、休日は休日用の再生時間帯により撮りだめした映画などをのんびりと視聴するための視聴お勧めリストを作成するようにすれば、平日と休日で変わる視聴スタイルの変化に対応した視聴お勧めリストを提供することができる。
【０１５２】
さらに、実施の形態１と同様に、再生時間帯として、上記に加えて年や月、日が含まれてもよい。月日および時間が再生時間帯になる例としては、６ヶ月にわたるドキュメンタリー番組が１ヶ月に１話づつ放映されている場合、再生時間帯は毎月決まった日、時間になる。
【０１５３】
また、情報処理手段１０３が、テーブルＢの録画時間帯が一致する番組を集計する際に、録画時間帯が同一の番組のみを録画時間帯が一致する番組とするのではなく、録画時間帯同士を比較してそれらの重なる時間帯の長さの程度によって録画時間帯の一致を判定させるようにしてもよい。
【０１５４】
例えば、図７（ｂ）の各矩形に示す時間帯を各番組の録画時間帯とし、８０％以上の録画時間帯が重なる番組を録画時間帯が一致する番組と判定するようにした場合、図７（ｂ）の斜線で示された録画時間帯を有する番組は録画時間帯が一致する番組である、と判定されることになる。
【０１５５】
このように、録画時間帯の重なる時間帯の長さの程度によって録画時間帯の一致を判定させるようにすると、続き物の番組を録画しているときに、録画時間がずれるような例外が発生しても、その番組を同じ録画時間帯の番組として検出できるようにできる。
【０１５６】
例えば、「別の録画番組を止めて、手動でいつもの番組を途中から録画した場合」、「連続ドラマの初回／最終回だけスペシャルのため、放映時間がいつもより長い、または放送開始時刻がずれた場合」、「野球中継放送の延長などで放送開始時刻がずれた場合」などでも、これらをいつもの時間帯に録画する続き物の番組と同じ録画時間帯の番組として判定して、お勧め番組の候補とすることができる。
【０１５７】
なお、図７（ｂ）では、８０％以上の録画時間帯が重なる番組を録画時間帯が一致する番組と判定することとしたが、さらに別の条件も加えて、録画時間帯の一致を判定させるようにしてもよい。例えば、基準時間帯と８０％以上の録画時間帯が重なる番組の中で、かつ、その録画開始時刻が、基準時間帯の録画開始時刻と離れている時間が３０分以内の番組のみを、録画時間帯が一致する番組と判定させるようにしてもよい。このようにすることにより、例えば、所望の続き物の番組のみを選択させるようにすることができる。
【０１５８】
なお、各実施の形態では、本発明の所定の属性として、ジャンル、番組名、録画時間帯に基づいて、過去に再生した番組を集計することとしたが、本発明の所定の属性として、番組の録画時間の長さに基づいて集計するようにしてもよい。
【０１５９】
録画時間の長さに基づいて集計すると、例えば、休日には、長い放映時間の映画を見たり、毎日夜遅くに３０分程度の短い時間だけ録画番組を見たりする習慣がある場合、その習慣に合った未視聴のお勧め番組を提示することができる。例えば、休日の場合には、２時間以上の録画時間の長い番組のみをお勧め番組としてユーザに提示したり、夜遅くの場合には、３０分以下の録画時間の短い番組のみをお勧め番組として提示したりできる。このように、録画時間の長さに基づいて集計することで、ユーザの生活習慣に合った適切な再生時間の番組をお勧め番組として提示できる。
【０１６０】
なお、図２、図８、図１４に示した各実施の形態のテーブルＡに示す番組の再生時間帯の長さは、いずれも３０分間としているが、これらの再生時間帯の長さは３０分間以外であってもよいし、異なる長さの再生時間帯の番組が混在していてもよく、これらの場合であっても、本発明によりテーブルＡの番組からテーブルＢの番組を選択することができる。
【０１６１】
また、異なる長さの再生時間帯の番組が混在している場合には、同じ長さの再生時間帯の番組だけを選択する機能を設けて、同じ長さの再生時間帯の番組だけを選択させた後に、各実施の形態に示したお勧め番組提示方法を用いるようにしてもよい。
【０１６２】
また、各実施の形態では、本発明の指示時刻の一例として現在時刻を用いたが、現在時刻以外の時刻を指示時刻として用いてもよい。例えば、視聴時にＴＶ画面に表示される時刻入力表示などのＧＵＩを用いて、任意の時刻を指示時刻として入力できるようにしてもよい。この場合、リモコンや録画再生機器本体の入力ボタンなどを用いて指示時刻を入力する。このようにすると、指示時刻を任意に指定できるので、現在時刻におけるお勧め番組だけでなく、ユーザが知りたい時刻におけるお勧め番組を知ることができる。
【０１６３】
なお、本発明の番組録画再生装置の一例として説明した各実施の形態の録画再生機器１０１には、録画手段１１０が備えられていることとしたが、番組自体の録画機能は無く、番組の所定の属性のみを記録できる機能を備える構成の、本発明のお勧め番組提示装置としてもよい。この場合、例えば、番組を録画する別の装置から、番組を録画する際に、通信などによってその番組の所定の属性が取得できればよい。
【０１６４】
また、本発明の視聴習慣を獲得するために利用する、再生に関する情報としては、上記実施の形態では再生時間帯を例にとって説明したが、これに限らず、例えば再生した番組のジャンル、チャンネル、あるいは、再生時間の長さなどであってもかまわない。そのジャンルの場合は、もっとも多いジャンルがユーザの視聴習慣と判定され、そのジャンルの未視聴番組をお勧めすることになる。また、再生時間の長さの場合は、もっとも多い時間の長さがユーザの視聴習慣と判定され、例えば１時間がもっとも多いとすると、一時間の長さの番組を、未視聴番組から選びお勧めすることになる。
【０１６５】
また、本発明のお勧め番組提示装置は、番組自体の録画機能が無く、番組の所定の属性を記録する機能も無い構成であってもよい。この場合、録画済番組を再生する際に、再生する番組自体の情報と共に、または再生する番組に対応づけられて、その番組の所定の属性が取得できればよい。
【０１６６】
これらの、番組自体の録画機能を備えていない場合には、再生する録画済番組のデータは、例えば、通信や取り外し可能な記録媒体によって取得することができる。
【０１６７】
なお、本発明のプログラムは、上述した本発明のお勧め番組提示方法の、再生情報記録ステップ、指示ステップ、属性毎集計ステップ、お勧め番組表示ステップの、全部または一部のステップの動作をコンピュータにより実行させるためのプログラムであって、コンピュータと協働して動作するプログラムである。
【０１６８】
また、本発明の記録媒体は、上述した本発明のお勧め番組提示方法の、再生情報記録ステップ、指示ステップ、属性毎集計ステップ、お勧め番組表示ステップの、全部又は一部のステップの全部又は一部の動作をコンピュータにより実行させるためのプログラムを記録した記録媒体であり、コンピュータにより読み取り可能かつ、読み取られた前記プログラムが前記コンピュータと協働して利用される記録媒体である。
【０１６９】
なお、本発明の上記「一部のステップ」とは、それらの複数のステップの内の、一つ又は幾つかのステップを意味する。また、本発明の上記「ステップの動作」とは、前記ステップの全部又は一部の動作を意味する。
【０１７０】
また、本発明のプログラムの一利用形態は、コンピュータにより読み取り可能な記録媒体に記録され、コンピュータと協働して動作する態様であっても良い。
【０１７１】
また、記録媒体としては、ＲＯＭ等が含まれる。
【０１７２】
また、上述した本発明のコンピュータは、ＣＰＵ等の純然たるハードウェアに限らず、ファームウェアや、ＯＳ、更に周辺機器を含むものであっても良い。
【０１７３】
なお、以上説明した様に、本発明の構成は、ソフトウェア的に実現しても良いし、ハードウェア的に実現しても良い。
【０１７４】
以上に説明したように、本発明のお勧め番組提示装置、番組録画再生装置、お勧め番組提示方法、および番組録画再生方法は、ＨＤＤ−ＤＶＤレコーダなどの録画再生機器に保存されている未視聴の録画済番組について、ユーザが毎週／毎日録画している番組をほぼ定期的に再生して視聴している場合に、そのユーザの視聴習慣を分析することで、その時々の時間帯にいつも再生していた番組の未視聴番組を表示する手段を提供し、ユーザの視聴習慣に沿った未視聴番組の視聴を簡単に可能とするものである。
【０１７５】
本発明のお勧め番組提示装置、番組録画再生装置、お勧め番組提示方法、および番組録画再生方法を用いると、ユーザが過去に毎年、毎月、毎週、毎月第２週など、周期性を持って録画し、視聴していた録画番組の中で視聴頻度の高かった例えばシリーズ番組で未視聴にある番組の視聴お勧めリストを表示することができる。
【０１７６】
また、本発明のお勧め番組提示装置、番組録画再生装置、お勧め番組提示方法、および番組録画再生方法を用いると、ＨＤＤ−ＤＶＤレコーダなどの大量にテレビジョン放送番組を記録することができる録画再生機器において、ユーザが録画番組の再生を開始しようとしている現在の時刻に、これまで視聴した録画番組の中で視聴頻度の高かった番組の未視聴のお勧め番組リストを表示することができるため、例えば、ユーザの視聴パターンとしてほぼ同じ周期で同じ番組を再生したいという視聴傾向や要望に沿っていま現時点で再生を開始し、視聴する未視聴番組を即座に選定することができる。
【０１７７】
また、未視聴番組をジャンル面から分析したお勧め番組のリストを表示することができ、さらにまた、録画時間情報に関係なく、番組名から同じ番組であるとユーザが判断している番組を含んだお勧め番組リストを表示することもでき、ユーザの利便性は大である。
【産業上の利用可能性】
【０１７８】
本発明に係るお勧め番組提示装置、番組録画再生装置、お勧め番組提示方法、および番組録画再生方法は、録画されて保存されている未視聴の録画済番組について、お勧め番組をユーザに提示できるという効果を有し、ハードディスクドライブユニットを内蔵する光学式情報記録再生装置などの大量のテレビジョン放送番組を記録し再生することができるお勧め番組提示装置、番組録画再生装置、お勧め番組提示方法、および番組録画再生方法等として有用である。
【図面の簡単な説明】
【０１７９】
【図１】本発明の実施の形態１〜３に係る録画再生機器のシステムブロック図
【図２】本発明の実施の形態１に係る録画再生機器で、録画、再生を繰り返した後のデータベースの内容の一例を示す図
【図３】本発明の実施の形態１に係る録画再生機器のデータベースから、再生時間帯に基づいて選択した番組データのテーブルを示す図
【図４】本発明の実施の形態１に係る録画再生機器のデータベースから再生時間帯に基づいて選択した番組データを、ジャンルに基づいて配列した番組データのテーブルを示す図
【図５】本発明の実施の形態１に係る録画再生機器のデータベースの未視聴番組データから、再生済番組データの情報から得られた視聴傾向に基づいて、選択し配列した未視聴番組データのテーブルを示す図
【図６】本発明の実施の形態１の録画再生機器における、お勧め視聴リスト表示動作のフローを示す図
【図７】（ａ）本発明の実施の形態１の録画再生機器における、基準時刻を用いた再生時間帯の一致を判定する方法を説明する図、（ｂ）本発明の実施の形態１の録画再生機器における、基準時間帯を用いた再生時間帯の一致を判定する方法を説明する図
【図８】本発明の実施の形態２に係る録画再生機器で、録画、再生を繰り返した後のデータベースの内容の一例を示す図
【図９】本発明の実施の形態２に係る録画再生機器のデータベースから、再生時間帯に基づいて選択した番組データのテーブルを示す図
【図１０】本発明の実施の形態２に係る録画再生機器のデータベースから再生時間帯に基づいて選択した番組データを、番組名に基づいて配列した番組データのテーブルを示す図
【図１１】本発明の実施の形態２に係る録画再生機器のデータベースの未視聴番組データから、再生済番組データの情報から得られた視聴傾向に基づいて、選択し配列した未視聴番組データのテーブルを示す図
【図１２】本発明の実施の形態２の録画再生機器における、お勧め視聴リスト表示動作のフローを示す図
【図１３】本発明の実施の形態２の録画再生機器において、共通するキーワードを番組名に有することによって同じ番組とみなす分類方法を説明する図
【図１４】本発明の実施の形態３に係る録画再生機器で、録画、再生を繰り返した後のデータベースの内容の一例を示す図
【図１５】本発明の実施の形態３に係る録画再生機器のデータベースから、再生時間帯に基づいて選択した番組データのテーブルを示す図
【図１６】本発明の実施の形態３に係る録画再生機器のデータベースから再生時間帯に基づいて選択した番組データを、録画時間情報に基づいて配列した番組データのテーブルを示す図
【図１７】本発明の実施の形態３に係る録画再生機器のデータベースの未視聴番組データから、再生済番組データの情報から得られた視聴傾向に基づいて、選択し配列した未視聴番組データのテーブルを示す図
【図１８】本発明の実施の形態３の録画再生機器における、お勧め視聴リスト表示動作のフローを示す図
【符号の説明】
【０１８０】
１０１  録画再生機器
１０２  データベース
１０３  情報処理手段
１０４  データ出力手段
１０５  録画情報登録手段
１０６  再生情報記録手段
１０７  データ入力手段
１０８  リモコン
１０９  表示手段
１１０  録画手段
１１１  再生手段
１１２  記録媒体
【図１】
2006229707.tif 000003
【図２】
2006229707.tif 000004
【図３】
2006229707.tif 000005
【図４】
2006229707.tif 000006
【図５】
2006229707.tif 000007
【図６】
2006229707.tif 000008
【図７】
2006229707.tif 000009
【図８】
2006229707.tif 000010
【図９】
2006229707.tif 000011
【図１０】
2006229707.tif 000012
【図１１】
2006229707.tif 000013
【図１２】
2006229707.tif 000014
【図１３】
2006229707.tif 000015
【図１４】
2006229707.tif 000016
【図１５】
2006229707.tif 000017
【図１６】
2006229707.tif 000018
【図１７】
2006229707.tif 000019
【図１８】
2006229707.tif 000020